(57)【要約】  運動（エクササイズ）器具は、第１の連続ループを構成する第１の弾性ループ部分を有し、第１の弾性ループ部分は、内面および内面とは反対側の外面を備えている。運動器具は、第２の連続ループを構成する第２の弾性ループ部分を有し、第２の弾性ループ部分は、内面および内面とは反対側の外面を備えている。第１の弾性ループ部分の外面が第２の弾性ループ部分の外面に取り付けられたところに接合領域が配置され、接合領域は、加えられた荷重を受けるとまたはこれから解除されると、同時多方向伸張が可能である。【選択図】図１
2018512941.tif 000002
【特許請求の範囲】
【請求項１】
運動器具であって、前記運動器具は、
第１の連続ループを構成する第１の弾性ループ部分を有し、前記第１の弾性ループ部分は、内面および内面とは反対側の外面を備え、
第２の連続ループを構成する第２の弾性ループ部分を有し、前記第２の弾性ループ部分は、内面および内面とは反対側の外面を備え、
前記第１の弾性ループ部分の前記外面が前記第２の弾性ループ部分の前記外面に取り付けられたところに設けられた第１の接合領域を有し、前記第１の接合領域は、加えられた荷重を受けるとまたは加えられた荷重から解除されると、同時多方向伸張が可能である、運動器具。
【請求項２】
前記第１の弾性ループ部分の幅は、１インチ〜４インチ（２．５４ｃｍ〜１０．１６ｃｍ）であり、前記第２の弾性ループ部分の幅は、１インチ〜４インチ（２．５４ｃｍ〜１０．１６ｃｍ）である、請求項１記載の運動器具。
【請求項３】
前記第１の弾性ループ部分の前記幅は、第１の所定の幅から選択され、前記第２の弾性ループ部分の前記幅は、第２の所定の幅から選択され、
前記第１の所定の幅は、前記第２の所定の幅に等しくない、請求項２記載の運動器具。
【請求項４】
前記第１の弾性ループ部分の周方向長さは、４インチ〜７５インチ（１０．１６ｃｍ〜１９０．５０ｃｍ）である、請求項１記載の運動器具。
【請求項５】
前記第１の弾性ループ部分の周方向長さは、１０インチ〜１４インチ（２５．４０ｃｍ〜３５．５６ｃｍ）である、請求項１記載の運動器具。
【請求項６】
前記第１の接合領域は、熱接着、化学結合、接着剤、高周波、ラテックス浸漬、および超音波溶接のうちの１つまたは２つ以上により形成される、請求項１記載の運動器具。
【請求項７】
第３の連続ループを構成する第３の弾性ループ部分を更に有し、前記第３の弾性ループ部分は、内面および前記内面と反対側の外面を備え、
前記第２の弾性ループ部分の前記外面が前記第３の弾性ループ部分の前記外面に取り付けられたところに設けられた第２の接合領域を有し、前記第２の接合領域は、加えられた荷重を受けるとまたは加えられた荷重から解除されると、同時多方向伸張が可能である、請求項１記載の運動器具。
【請求項８】
前記第１の接合領域および前記第２の接合領域は、熱接着、化学結合、接着剤、高周波、ラテックス浸漬、および超音波溶接のうちの１つまたは２つ以上により形成される、請求項７記載の運動器具。
【請求項９】
連続して位置するループを備えた運動器具であって、前記運動器具は、
外面を備えた第１の管状部分と、
外面を備えた第２の管状部分とを有し、
前記第１の管状部分の前記外面は、前記第１の管状部分と前記第２の管状部分との間に少なくとも１つのループを構成するよう少なくとも２つの接合領域により前記第２の管状部分の前記外面に取り付けられている、運動器具。
【請求項１０】
前記少なくとも２つの接合領域は、前記第１の管状部分の前記外面を前記第２の管状部分の前記外面に取り付けた少なくとも３つの接合領域を含み、
前記接合領域の各隣接の対相互間にループが形成されている、請求項９記載の運動器具。
【請求項１１】
前記少なくとも２つの接合領域は、熱接着、化学結合、接着剤、高周波、ラテックス浸漬、および超音波溶接のうちの１つまたは２つ以上により形成される、請求項９記載の運動器具。
【請求項１２】
前記少なくとも２つの接合領域は、前記第１の管状部分と前記第２の管状部分を間隔を置いたところで互いに結束することによってまたは前記第１の管状部分と前記第２の管状部分を間隔を置いたところで締結具により互いに接合することによって形成される、請求項９記載の運動器具。
【請求項１３】
運動器具であって、
第１のフェースおよび前記第１のフェースと反対側に設けられている第２のフェースを備えた第１の弾性材料部分と、
第３のフェースおよび前記第３のフェースと反対側に設けられている第４のフェースを備えた第２の弾性材料部分と、
複数の接合領域とを有し、前記第１の弾性材料部分の前記第２のフェースは、各接合領域のところで前記第２の弾性材料部分の前記第３のフェースに取り付けられ、各接合領域は、加えられた荷重を受けるとまたは加えられた荷重から解除されると、同時多方向伸張が可能であり、
前記接合領域の各々は、第１の接合領域セグメント、第２の接合領域セグメント、および前記第１の接合領域セグメントと前記第２の接合領域セグメントとの間に位置する接合ギャップを含む、運動器具。
【請求項１４】
前記接合領域は、熱接着、化学結合、接着剤、高周波、ラテックス浸漬、および超音波溶接のうちの１つまたは２つ以上により形成される、請求項１３記載の運動器具。
【請求項１５】
複数の連続して位置するループは、前記第１の弾性材料部分と前記第２の弾性材料部分との間の開放空間として前記接合領域によって構成され、前記運動器具が加えられた荷重を受けると、前記加えられた荷重を受けた前記ループおよび前記接合領域は、実質的に均一の伸びを生じる、請求項１４記載の運動器具。
【請求項１６】
前記第１の弾性材料および前記第２の弾性材料のうちの少なくとも一方は、細長いシート材料である、請求項１３記載の運動器具。
【請求項１７】
前記第１の弾性材料および前記第２の弾性材料のうちの少なくとも一方は、細長い管材料である、請求項１３記載の運動器具。
【請求項１８】
前記第１の弾性材料および前記第２の弾性材料のうちの少なくとも一方は、弾性限度に達することなく前記運動器具の長手方向長さに沿って少なくとも４００％の伸びが可能である等方性材料である、請求項１３記載の運動器具。
【請求項１９】
前記接合ギャップの長さは、１インチ（２．５４ｃｍ）未満である、請求項１３記載の運動器具。
【請求項２０】
前記接合ギャップは、微小ループを構成する、請求項１３記載の運動器具。
【発明の詳細な説明】
【技術分野】
【０００１】
本開示内容、すなわち本発明は、一般に、運動（エクササイズ）器具、特に一連の２つまたは３つ以上のループを含む弾性抵抗運動器具に関する。
【０００２】
〔関連出願の説明〕
本願は、２０１５年４月２２日に出願された米国特許仮出願第６２／１５１，１２５号の優先権主張出願であり、この米国特許仮出願を参照により引用し、その記載内容全体を本明細書の一部とする。
【背景技術】
【０００３】
長年にわたって、抵抗運動は、外傷を予防したり性能を高めたり外傷または手術後に筋肉にリハビリを施したりするのを助けるようにするためにアスレチック（運動）トレーニングおよび治療法に取り入れられている。従来型の等尺性または等張性の運動器具は、複雑かつ嵩張った機器については必要となるコストおよびスペースがなくても、筋力トレーニングおよび筋療法のための手段となるようにするために用いられている。特に、関連技術分野において弾性材料の多くの形式の単一ループバンドまたは単一ストリップバンドが開発され、これらのバンドにより、ユーザは、バンドによって提供される抵抗作用だけに基づいて手動で運動を行うことができる。例えば、ユーザは、単一ループバンドの一端部寄りを手または足で保持し、バンドの他端部を静止物体、例えばドアに取り付けまたはこの他端部をもう一方の手または足に取り付けることによって単一ループバンドを用いて運動を行うことができる。多くの場合、従来型バンドに対する適正なグリップを得るとともに維持するためには、ユーザは、自分の手または足の周りに何回もバンドをループ状にする必要がありまたはバンドの適当な場所に結び目を作らなければならない。
【発明の概要】
【発明が解決しようとする課題】
【０００４】
しかしながら、従来型バンドに沿って適正な場所に効果的な取っ手（ハンドル）を提供する上述の方法の結果として、多くの場合、バンドが結び目の領域内にかつこの周りで著しく幅が狭くなる（細くなる）ことに起因してバンドに損傷が生じるとともに／あるいは手または足領域に局所化された圧力が生じ、すなわち、バンドに切れ目が入ることがある。結び目が作られたバンドのこの食い込み効果を回避するため、ユーザは、例えば、手足の広い部分、例えば手首または足首を覆ってバンドを取り付けるのではなく、ほぼ完全に指によるグリップを利用する場合がある。ユーザの中には、例えば、老人または手もしくは足の筋肉に甚大な損傷を負っている人たちは、バンドを効果的に掴むことができず、かくして、損傷した筋肉を強化するとともに／あるいはこれらにリハビリを施すよう医師によって処方された治療法から逸脱する場合があるとともに／あるいはこれらの人たちに追加の外傷を生じさせる場合がある。この不快感を軽減するため、ユーザの中には、運動器具に別個に取り付けられなければならない専用取っ手を利用するユーザが存在し、その結果、追加のコストおよび複雑さが生じ、これらはユーザのやる気をそぐ場合がある。
【０００５】
したがって、運動器具を結び目または締め付けループを備えるように再構成する必要なく、簡単かつ効果的な使用を可能にする運動器具であって、この運動器具を製作するために用いられる材料の等方性によりこの器具が表面の形状に容易になじむことができ、例えば種々の物体への取り付けの際に滑りを減少させると同時に快適さが増すようにユーザの解剖学的構造の輪郭に合った形状を取ることができる運動器具が要望されている。加うるに、ユーザの側での改造を殆ど行うことなくまたは全く行うことがない状態で上述の利点を達成するために製造が容易な運動器具が要望されている。
【課題を解決するための手段】
【０００６】
少なくとも上述の要望に鑑みて、本発明は、上述の欠点を解決することができる運動器具を想定している。一観点では、本開示内容は、一連の柔軟性ループを作るために用いられる材料の抵抗特性を利用した筋肉運動器具を記載している。この運動器具は、続き物またはチェーンの状態に互いに接合された弾性材料のストリップおよび／または予備成形ループで形成されるのが良い。
【０００７】
一観点では、運動器具は、第１の連続ループを構成する第１の弾性ループ部分を有するのが良く、第１の弾性ループ部分は、内面および第１の弾性ループ部分の内面とは反対側の外面を備えている。運動器具は、第２の連続ループを構成する第２の弾性ループ部分を有するのが良く、第２の弾性ループ部分は、内面および第２の弾性ループ部分の内面とは反対側の外面を備えている。運動器具は、第１の弾性ループ部分の外面が第２の弾性ループ部分の外面に取り付けられたところに設けられた接合領域を有するのが良く、この接合領域は、加えられた荷重を受けるとまたは加えられた荷重から解除されると、同時多方向伸張が可能である。
【０００８】
一観点では、運動器具は、各々が複数の相互連結弾性ループ部分を有するのが良く、各連結相互弾性ループ部分は、それぞれの内面および外面を備えた包囲された状態の連続ループを構成する。複数の相互連結弾性ループ部分のうちの少なくとも１つの弾性ループ部分は、複数の相互連結弾性ループ部分の２つの隣り合う弾性ループ部分の外面に取り付けられた少なくとも２つの接合領域を有する。
【０００９】
一観点では、運動器具は、外面を備えた第１の管状部分と、外面を備えた第２の管状部分とを有するのが良い。第１の管状部分の外面は、第１の管状部分と第２の管状部分との間に少なくとも１つのループを構成するよう少なくとも２つの接合領域により第２の管状部分の外面に取り付けられるのが良い。
【００１０】
本発明の種々の観点の細部を説明する前に、本発明は、その利用分野に関し、以下の説明に記載されまたは図面に示されたコンポーネントの構成の細部およびこれらの配置状態に制限されないということは理解されるべきである。本発明は、説明した実施形態に加えて上述の説明した観点および実施形態のうちの１つまたは２つ以上を組み込んだ実施形態の実現が可能であるとともに種々の仕方で具体化されて実施できる。さらに、本明細書で採用される語句および用語ならびに要約は、説明の目的上のものであって本発明を限定するものと見なされてはならないことは理解されるべきである。
【００１１】
したがって、当業者であれば、本発明が立脚する技術的思想を、他の本発明の幾つかの目的を達成する他の構造、方法およびシステムの設計のための基礎として容易に利用できることは理解されよう。したがって、特許請求の範囲の記載は、かかる均等構成例が本発明の精神および範囲から逸脱しない限りにおいて、かかる均等構成例を含むものと解されることが重要である。
【図面の簡単な説明】
【００１２】
【図１】本発明の諸観点による運動器具の平面図である。
【図２】図１の運動器具の前から見た斜視図である。
【図３】図１の運動器具の角度を付けて見た斜視図である。
【図４】図１の運動器具の拡大斜視図である。
【図５】本発明の諸観点による一定厚さを備えた連続ループを備えた運動器具の平面図である。
【図６】本発明の諸観点による接合領域の拡大斜視図である。
【図７】本発明の諸観点による接合領域の拡大斜視図である。
【図８】本発明の諸観点による運動器具の平面図である。
【図９】本発明の一観点による運動器具の斜視図である。
【図１０】本発明の一観点による運動器具の拡大斜視図である。
【図１１】本発明の一観点による図１０に示されている運動器具の正面図である。
【図１２】本発明の一観点による図１０に示されている運動器具の左側面図である。
【発明を実施するための形態】
【００１３】
次に、図面に含まれた図を参照して本発明について説明するが、図中、同一の参照符号は、図全体を通じて同一の部分を示している。
【００１４】
図１〜図５は、本発明の諸観点による運動（エクササイズ）器具１０を示している。運動器具１０は、互いに連続して接合された複数の弾性ループ部分２０ａ，２０ｂ，２０ｃ，２０ｄを含むのが良い。複数の弾性ループ部分２０ａ，２０ｂ，２０ｃ，２０ｄは、任意適当な乾燥天然ゴム、天然ラテックス、合成ラテックス、および／または本明細書において説明する材料特性を付与する他の合成エラストマー材料、例えば高度の弾性を提供し、裂けに強く、しかも一般に、大々的な伸張の繰り返し後であっても休止状態にあるときに所望の形状および可撓性を維持する熱可塑性エラストマー材料で構成できる。
【００１５】
一観点では、図１〜図３に示されているように、弾性ループ部分２０ａ，２０ｂ，２０ｃ，２０ｄは、端と端を突き合わせた状態で互いに接合されるのが良く、その結果、運動器具１０は、第１の端ループ２０ａ、第２の端ループ２０ｄ、および複数の中間ループ２０ｂ，２０ｃを含むようになる。別の観点では、運動器具１０は、４つの弾性ループ部分２０ａ，２０ｂ，２０ｃ，２０ｄを含むのが良い。さらに別の観点では、運動器具１０は、少なくとも２つの端ループ２０ａ，２０ｄおよび少なくとも１つの中間ループ２０ｂ，２０ｃまたはちょうど２つの端ループ２０ａ，２０ｄを含むのが良い。一観点では、運動器具１０は、少なくとも２つの端ループ２０ａ，２０ｄの相互間に接合された２〜１５０個の中間ループを含むことができ、運動器具１０は、非伸張状態では１フィート（０．３０４８ｍ）から１００フィート（３０．４８ｍ）の長さに及ぶことができる。一観点では、運動器具１０は、少なくとも２つの端ループ相互間に接合された６個、８個、１０個、１２個、１６個、１８個、２０個、または２４個の中間ループを含むことができる。一観点では、運動器具１０は、少なくとも２つの端ループ相互間に接合された６個から１２個の中間ループを含むことができる。中間ループの他の個数が想定される。ループの個数は、ユーザが実質的に過剰の長さを持たない運動器具１０を用いて広範な運動を行うことができるようにするよう選択されるのが良い。
【００１６】
一観点では、運動器具１０は、個人使用器具として構成されるのが良く、かかる運動器具は、６個〜１０個の弾性ループ部分２０ａ，２０ｂ，２０ｃ，２０ｄを含むのが良い。運動器具１０は、個人的使用形態では、非伸張状態では３フィート（０．９１４４ｍ）〜８フィート（２．４３８４ｍ）の長さに及ぶのが良い。一観点では、運動器具１０は、個人的使用形態では、８つの弾性ループ部分２０ａ，２０ｂ，２０ｃ，２０ｄを含むのが良く、運動器具１０は、非伸張状態では５フィート（１．５２４ｍ）の長さに及ぶのが良い。別の観点では、運動器具１０は、一本ものバルクまたはロールとして形成されるのが良く、かかる運動器具は、１００個〜３００個の弾性ループ部分２０ａ，２０ｂ，２０ｃ，２０ｄを含むのが良い。運動器具１０は、一本ものバルクまたはロール形態では１５フィート（４．５７２ｍ）〜１５０フィート（４５．７２ｍ）の長さに及ぶのが良い。一観点では、運動器具１０は、１本ものバルクまたはロール形態では、１５０個の弾性ループ部分２０ａ，２０ｂ，２０ｃ，２０ｄを含むのが良く、かかる運動器具は、７５フィート（２２．８６ｍ）の長さに及ぶのが良い。運動器具１０は、一本ものバルクまたはロール形態では、切断または他の適当な分離方法を用いて別々の個人使用器具に分割されるのが良い
【００１７】
一観点では、図２に示されているように、複数の弾性ループ部分２０ａ，２０ｂ，２０ｃ，２０ｄは、同一のまたは実質的に同一の幅（ｗ）を有するのが良い。一観点では、弾性ループ部分２０ａ，２０ｂ，２０ｃ，２０ｄは、同一または実質的に同一の周囲または周長を有するのが良い。弾性ループ部分２０ａ，２０ｂ，２０ｃ，２０ｄの周長を個々の弾性ループ部分２０ａ，２０ｂ，２０ｃ，２０ｄの各々の縁または周囲周りに直線距離として定めることができる。一観点では、弾性ループ部分２０ａ，２０ｂ，２０ｃ，２０ｄは、４インチ〜７５インチ（１０．１６ｃｍ〜１９０．５０ｃｍ）の周長を有するのが良い。別の観点では、弾性ループ部分２０ａ，２０ｂ，２０ｃ，２０ｄは、６インチ〜２４インチ（１５．２４ｃｍ〜６０．９６ｃｍ）の周長を有するのが良い。さらに別の観点では、弾性ループ部分２０ａ，２０ｂ，２０ｃ，２０ｄは、約１０インチ〜１４インチ（２５．４ｃｍ〜３５．５６ｃｍ）の周長を有するのが良い。一観点では、弾性ループ部分２０ａ，２０ｂ，２０ｃ，２０ｄは、約１２インチ（３０．４８ｃｍ）の周長を有するのが良い。当然のことながら、弾性ループ部分２０ａ，２０ｂ，２０ｃ，２０ｄの他の周長が想定される。図１〜図３に示されている弾性ループ部分２０ａ，２０ｂ，２０ｃ，２０ｄは、同一の全体的寸法のものであるが、弾性ループ部分２０ａ，２０ｂ，２０ｃ，２０ｄは、個別的にサイズが変わっていても良く、したがって、サイズが様々な弾性ループ部分２０ａ，２０ｂ，２０ｃ，２０ｄのパターンまたは配置状態を組み合わせて運動器具１０を形成することができるようになっている。例えば、弾性ループ部分２０ａ，２０ｂ，２０ｃ，２０ｄは、２つまたは３つ以上の所定のサイズ相互で交互になっていても良く、例えば８インチ（２０．３２ｃｍ）と１２インチ（３０．４８ｃｍ）の周方向ループまたは２４インチ（６０．９６ｃｍ）の中央周方向ループを備えた１２インチ（３０．４８ｃｍ）周方向ループで交互に位置しても良い。一観点では、弾性ループ部分２０ａ，２０ｂ，２０ｃ，２０ｄのうちの少なくとも１つが平らに置かれた向きに潰されると、弾性ループ部分２０ａ，２０ｂ，２０ｃ，２０ｄのうちの少なくとも１つは、同一または実質的に同一の長さの頂部分と底部分を含み、この長さは、それぞれの弾性ループ部分２０ａ，２０ｂ，２０ｃ，２０ｄの周長のほぼ半分であるのが良い。
【００１８】
一観点では、図５に示されているように、弾性ループ部分２０ａ，２０ｂ，２０ｃ，２０ｄの各ループは、運動器具１０で互いに接合される前に連続ループとして予備成形されるのが良く、予備成形された連続ループは、継ぎ目付きであってもシームレスであっても良い。予備成形ループは、その周囲全体に沿って実質的に一定の厚さを有するのが良い。一観点では、弾性ループ部分２０ａ，２０ｂ，２０ｃ，２０ｄは、管材料として押し出し成形され、その後、押し出し方向に垂直にまたは実質的に垂直に所定の幅（ｗ）で切断されるのが良く、それにより個々の弾性ループ部分２０ａ，２０ｂ，２０ｃ，２０ｄが形成されるのが良い。押し出し成形プロセスを用いて成形された弾性ループ部分２０ａ，２０ｂ，２０ｃ，２０ｄは、シームレスループを生じさせるのが良い。一観点では、弾性ループ部分２０ａ，２０ｂ，２０ｃ，２０ｄの所定幅（ｗ）は、１インチ〜４インチ（２．５４ｃｍ〜１０．１６ｃｍ）であるのが良い。当然のことながら、弾性ループ部分２０ａ，２０ｂ，２０ｃ，２０ｄの他の所定の幅が想定される。一観点では、弾性ループ部分２０ａ，２０ｂ，２０ｃ，２０ｄの所定幅（ｗ）は、ループごとに様々であって良くまたは２つまたは３つ以上の所定の幅で交互に位置していても良い。他の観点では、所定幅（ｗ）は、周長よりも大きくても良くまたは周長よりも小さくても良い。
【００１９】
一観点では、シート材料片を折り返すのが良く、その結果、シート材料の２つの端部がオーバーラップし、次に２つの端部を結合ゾーンのところで互いに結合し、これについては、図６を参照して以下に詳細に説明する。シート材料の端部を互いに結合した後、連続ループを形成するのが良く、そして端部が結合されたシート材料を所定の幅（ｗ）で切断して個々の弾性ループ部分を形成するのが良い。結果的に得られる個々の弾性ループ部分は、シーム付きループを生じさせることができる。一観点では、所定幅（ｗ）を備えた平べったくて幅の狭いバンド材料を折り重ねても良く、その結果、平べったくて幅の狭いバンドの２つの端部がオーバーラップし、これら２つの端部を結合ゾーンのところで互いに結合して個別の弾性ループ部分を形成するようにする。シート材料の端部および／または平べったくて幅の狭いバンド材料の端部の結合プロセスとしては、熱接着、化学結合、接着剤、高周波、ラテックス浸漬、および／または超音波溶接のうちの１つまたは２つ以上が挙げられる。当然のことながら、他の結合または取り付けプロセスが想定される。
【００２０】
一観点では、弾性ループ部分２０ａ，２０ｂ，２０ｃ，２０ｄの各々は、内面２２および内面２２の反対側の外面２４を有するのが良い。内面２２は、内側の周面であるのが良く、外面２４は、外側の周面であるのが良い。一観点では、弾性ループ部分２０ａ，２０ｂ，２０ｃ，２０ｄの各々は、周囲全体に沿って一定の厚さを有するのが良く、この厚さは、図５に示されているように内面２２と外面２４との間の距離である。一観点では、弾性ループ部分２０ａ，２０ｂ，２０ｃ，２０ｄが結合された端部を備えるシート材料または平べったくて幅の狭いバンド材料を用いて形成される場合、弾性ループ部分２０ａ，２０ｂ，２０ｃ，２０ｄの各々は、周囲の大部分に沿って第１の厚さを有するとともに端部が互いに結合される結合ゾーンに沿って第２の厚さを有するのが良い。一観点では、結合ゾーンのところの第２の厚さは、図４に示されているように周囲の大部分に沿って第１の厚さの２倍の厚さであるのが良い。
【００２１】
運動器具１０を製作する方法は、複数の弾性ループ部分２０ａ，２０ｂ，２０ｃ，２０ｄを、端と端を付き合わせた状態で接合して図１〜図３に示されているように一連のまたはひと続きの連続ループを形成するステップを含むのが良い。一観点では、中間ループ２０ｂ，２０ｃは、各々、少なくとも２つの接合領域２６ａ，２６ｂ，２６ｃによって接合されるのが良い。例えば、中間ループ２０ｂは、接合領域２６ａ，２６ｂを介してそれぞれ２つの隣り合うループ２０ａ，２０ｃに取り付けられるのが良い。一観点では、結合領域２６ａ，２６ｂ，２６ｃは、弾性ループ部分２０ａ，２０ｂ，２０ｃ，２０ｄの全幅（ｗ）に及ぶのが良い。変形例として、一観点では、接合領域２６ａ，２６ｂ，２６ｃは、全幅（ｗ）の何分の一かに及んでも良く、かかる接合領域は、複数の弾性ループ部分２０ａ，２０ｂ，２０ｃ，２０ｄの側縁部のところの潜在的な応力集中を減少させまたはなくすのに役立ち得る。別の観点では、接合領域２６ａ，２６ｂ，２６ｃは、全幅（ｗ）の２５％〜９９％に及ぶのが良い。一観点では、接合領域２６ａ，２６ｂ，２６ｃは、全幅（ｗ）の８０％〜９５％に及ぶのが良い。
【００２２】
一観点では、図６に示されているように、接合領域１２６は、第１の弾性ループ部分１２０ａの外面１２４ａおよび第２の弾性ループ部分１２０ｂの外面１２４ｂに沿って所定の周囲セグメントまたは周長（ｄ）に及ぶのが良い。一観点では、接合領域１２６の距離（ｄ）は、接合領域１２６の幅と一緒になって、接合領域１２６の境界または取り付けフットプリント１２８を定めるのが良く、取り付けフットプリント１２８は、規則的な形状をしているのが良い。一観点では、接合領域１２６の距離（ｄ）および／または幅は、接合領域１２６全体を横切って一様である必要はない。例えば、取り付けフットプリント１２８について他の形状が想定され、かかる他の形状としては、円、長円形、隅が丸められた多角形、および／または他のパターンのうちの１つまたは２つ以上が挙げられる。一観点では、多数の取り付けフットプリント１２８を一緒に用いて接合領域１２６を形成しても良く、かかるフットプリントとしては、例えば、２つの円形取り付けフットプリントが挙げられる。
【００２３】
第１の弾性ループ部分１２０ａの外面１２４ａと第２の弾性ループ部分１２０ｂの外面１２４ｂを熱接着、化学結合、接着剤、高周波、ラテックス浸漬、または超音波溶接などのうちの１つまたは２つ以上によって接合領域１２６のところで互いに取り付けられるのが良い。一観点では、接合領域１２６のところでの第１の弾性ループ部分１２０ａと第２の弾性ループ部分１２０ｂの取り付けは、直接的取り付けであるのが良く、あるいは、変形例として、第１の弾性ループ１２０ａと第２の弾性ループ部分１２０ｂを各々別の弾性材料またはストリップに取り付けても良い。本発明の更に別の観点によれば、接合領域１２６を形成する任意適当な工具または装置を用いることができ、かかる工具または装置としては、締結具、例えばクリンプ、バンド、または結束具が挙げられ、かかる工具または装置により、接合領域１２６は、運動器具１０の他の部分の弾性特性と実質的に同じ均一の伸びを可能にする。当然のことながら、他の結合または取り付けプロセスが想定される。
【００２４】
一観点では、接合領域１２６は、少なくとも１／１６インチ（１．５９ｍｍ）の長さに及ぶのが良く、かかる長さは、１／１６インチ（１．５９ｍｍ）〜５インチ（１２．７０ｃｍ）であるのが良い。別の観点では、接合領域１２６は、１／４インチ（６．３５ｍｍ）〜３インチ（７．６２ｃｍ）の長さに及ぶのが良い。一観点では、接合領域１２６は、１／２インチ（１２．７０ｍｍ）〜１．５インチ（３．８１ｃｍ）の長さに及ぶのが良い。当然のことながら、接合領域１２６について他の長さが想定される。一観点では、接合領域１２６は、複数の互いに間隔を置いて位置する副接合領域を含むのが良い。
【００２５】
一観点では、図７に示されているように、複数の弾性ループ部分２０ａ，２０ｂ，２０ｃ，２０ｄのうちの１つまたは２つ以上が結合ゾーン２２３ａのところでシート材料のオーバーラップしている端部２２１ａ，２２２ａを結合することによって形成される場合、接合領域２２６ａは、結合ゾーン２２３ａを有する第１の弾性ループ部分２２０ａの外面２２４ａおよび結合ゾーンを備えていない第２の弾性ループ部分２２０ｂの外面２２４ｂに沿って所定の周長に及ぶのが良い。別の観点では、接合領域は、第１の弾性ループ部分の結合ゾーンの外面および第２の弾性ループ部分の結合領域の外面に沿って所定の周長に及ぶのが良い。上述したように接合領域２６ａ，２６ｂ，２６ｃ，１２６，２２６ａ，２２６ｂのうちの１つまたは２つ以上を用いて運動器具１０を形成することができるということが計画される。さらに別の観点では、第１の弾性ループ部分２２０ａのオーバーラップ端部２２１ａを第２の弾性ループ部分２２０ｂの非オーバーラップ区分に接合することができる。一観点では、最初の弾性ループと最後の弾性ループのオーバーラップ端部を運動器具の遠位端部上に設けるのが良く、その結果、最初の弾性ループと最後の弾性ループは、最初の弾性ループおよび最後の弾性ループの非オーバーラップ区分により対応の隣接のループの接合するようにする。当然のことながら、接合領域の他形式または組み合わせが想定される。
【００２６】
図２および図３に戻ってこれら参照すると、運動器具１０は、直線状に配置されて接合された弾性ループ部分２０ａ，２０ｂ，２０ｃ，２０ｄを有するのが良い。例えば、端の弾性ループ部分２０ａは、中間弾性ループ部分２０ｂの９時の場所で中間弾性ループ部分２０ｂに接合されるのが良く、中間弾性ループ部分２０ｃは、中間弾性ループ部分２０ｂの３時の場所で中間弾性ループ部分２０ｂに接合されるのが良い。一観点では、３時と９時の接合配置を残りの中間弾性ループ部分２０ｂ，２０ｃの各々について繰り返すのが良い。
【００２７】
一観点では、中間弾性ループ部分２０ｂ，２０ｃは、非直線状に配置されて接合されても良い。例えば、端の弾性ループ部分２０ａは、残りの中間弾性ループ部分２０ｂの１０時の場所で残りの中間弾性ループ部分２０ｂに接合されるのが良く、中間弾性ループ部分２０ｃは、中間弾性ループ部分２０ｂの２時の場所で中間弾性ループ部分２０ｂに接合されるのが良い。一観点では、２時と１０時の接合配置を中間弾性ループ部分２０ｂ，２０ｃの各々について繰り返すのが良い。当然のことながら、位置および／または接合配置の他の組み合わせが想定される。中間弾性ループ部分２０ｂ，２０ｃの非直線状接合または取り付けを実施することによって、互いに異なる輪郭、曲線、または形態を備えた運動器具１０を形成することができ、それにより特定の運動により適したと言える特定の配置状態が得られる。一観点によれば、中間弾性ループ部分２０ｂ，２０ｃを含む複数のループ部分は、運動器具がＸ字形形態、Ｙ字形形態、Ｖ字形形態、Ｔ字形形態、Ｃ字形形態またはＯ字形形態を取るよう配置されることが可能である。当業者であれば、本発明を考慮して、他の形状、他の形態および他の配置を思いつくであろう。
【００２８】
図８を参照して、次に別の実施形態としての運動器具３００について説明する。一観点では、運動器具３００は、各々が外面３２０ａ，３２０ｂおよび内面３３０ａ，３３０ｂを備えた少なくとも２つの管状部分３１０ａ，３１０ｂを有するのが良い。少なくとも２つの管状部分３１０ａ，３１０ｂは、任意適当な乾燥天然ゴム、天然ラテックス、合成ラテックス、および／または本明細書において説明する材料特性を付与する他の合成エラストマー材料、例えば高度の弾性を提供し、裂けに強く、しかも一般に、大々的な伸張の繰り返し後であっても休止状態にあるときに所望の形状および可撓性を維持する熱可塑性エラストマー材料で構成できる。一観点では、少なくとも２つの管状部分３１０ａ，３１０ｂは、中実断面を有するのが良く、しかも中実弾性コードの形態をしているのが良い。一観点では、少なくとも２つの管状部分３１０ａ，３１０ｂは、円形または楕円形断面、三角形断面、長方形断面、または任意他の多角形、任意他の形状、または任意他のパターンの断面を有することができる。
【００２９】
一観点では、外面３２０ａ，３２０ｂおよび内面３３０ａ，３３０ｂは、それぞれの管状部分３１０ａ，３１０ｂの中心軸線に沿って延びるのが良い。一観点では、管状部分３１０ａ，３１０ｂの外面３２０ａ，３２０ｂは、複数の接合領域３３５により互いに取り付けられるのが良く、これら複数の接合領域３３５は、互いに間隔を置いて配置される。一観点では、複数の接合領域３３５は、所定の間隔を置いて配置されるのが良く、これら間隔は、互いに等しいのが良い。接合領域３３５によって境界付けられた管状部分３１０ａ，３１０ｂのセグメントは、これら相互間にループ３４０を構成することができる。一観点では、複数のループ３４０のうちの各ループは、少なくとも２つの接合領域３３５を備えるのが良い。
【００３０】
一観点では、図８に示されているように、接合領域３３５は、外面３２０ａ，３２０ｂの区分を互いに結束して間隔を置いたところで複数の別々の接合領域３３５を形成することによって形成されるのが良い。追加的にまたは代替的に、外面３２０ａ，３２０ｂの区分を熱接着、化学結合、接着剤、高周波、ラテックス浸漬、または超音波溶接のうちの１つまたは２つ以上によって互いに接合しても良い。本発明の更に別の観点によれば、接合領域３３５を形成する任意適当な工具または装置を用いることができ、かかる工具または装置としては、締結具、例えばクリンプ、バンド、または結束具が挙げられ、かかる工具または装置により、接合領域１２６は、運動器具１０の他の部分の弾性特性と実質的に同じ均一の伸びを可能にする。当然のことながら、他の結合または取り付けプロセスが想定される。
【００３１】
一観点では、運動器具３００は、外面および内面を備えた単一の管状部分を用いて形成できる。外面および内面は、管状部分の中心軸線に沿って同心状に延びるのが良い。一観点では、先ず最初に単一の管状部分を折り曲げて分け、そしてこの単一管状部分が２つの管状小部分を有するようにするのが良い。次に、管状小部分を図８を参照して同様に上述したように複数の接合領域３３５を介して間隔を置いたところで互いに接合するのが良い。一観点では、単一管状部分を用いて形成された運動器具３００は、単一の接合領域だけで境界付けられた第１の端ループおよび複数の接合領域によって境界付けられた第２の端ループを有するのが良い。一観点では、第１の端ループを除く各ループは、少なくとも２つの接合領域３３５を備えるのが良く、このループ３４０は、接合領域３３０の各隣接の対相互間に形成される。一観点では、各ループは、少なくとも２つの接合領域３３５を備えるのが良い。
【００３２】
運動器具１０の複数の弾性ループ部分２０ａ，２０ｂ，２０ｃ，２０ｄおよび運動器具３００の複数のループ３４０は、それぞれの運動器具１０，３００を例えば物体に取り付ける際にそれぞれの運動器具１０，３００の迅速な位置決めを可能にする。物体の周りに運動器具１０，３００を結束する必要なく、運動器具１０，３００の一端部を物体の適当な取り付け部分に迅速に巻き付けて好ましくは運動器具１０，３００の他端部の近くで弾性ループ部分２０ａ，２０ｂ，２０ｃ，２０ｄまたはループ３４０のうちの１つに通すのが良い。次に、運動器具１０，３００の第１の端部を引き続けることにより、運動器具１０，３００の一部分を静止状態の物体の取り付け部分周りに巻いて閉じ状態に締めるだけで良い。運動器具１０，３００を迅速に取り外すためには、ユーザは、運動器具１０，３００の作動側端部を単に外して運動器具１０，３００を元々通した弾性ループ部分２０ａ，２０ｂ，２０ｃ，２０ｄまたはループ３４０を引くだけで良い。通した弾性ループ部分２０ａ，２０ｂ，２０ｃ，２０ｄまたはループ３４０は、最終的に作動側端部を離脱させて作動側端部を外すことができ、それにより運動器具１０，３００を物体から自由に取り外すことができる。
【００３３】
ユーザは、一般に、運動器具１０の弾性ループ部分２０ａ，２０ｂ，２０ｃ，２０ｄを構成するために用いられる材料または運動器具３００の管状部分３１０ａ，３１０ｂを構成するために用いられる材料の抵抗性を利用することができる。このように、運動器具１０，３００は、ある特定の厚さを有するとともに／あるいは運動器具１０，３００を用いて運動しているユーザに特定の抵抗範囲を与えるよう寸法決めされた弾性ループ部分２０ａ，２０ｂ，２０ｃ，２０ｄまたはループ３４０を有するのが良い。このように、累進的な抵抗レベルを有する一連の運動器具を指示するための識別システムが用いられるのが良い。例えば、番号、色、文字、記号、パターン、または任意他の適当なマーキング系統が累進的な抵抗レベルを有する運動器具系統を指示するために用いられるのが良い。当然のことながら、他形式のマーキングまたは指標が想定される。
【００３４】
本発明の他の観点によれば、運動器具１０の弾性ループ部分２０ａ，２０ｂ，２０ｃ，２０ｄまたは運動器具３００の管状部分３１０ａ，３１０ｂを構成するために用いられる弾性材料は、任意の方向に同じように伸張することができる等方性材料であるのが良い。この材料の等方性により、この材料は、表面の形状の容易になじむことができ、例えば種々の物体への取り付けの際に良好なグリップを提供すると同時にユーザの解剖学的構造の輪郭にあった形状を取ることができる。一観点では、等方性材料は、弾性限度に達することなく運動器具３００の長手方向長さに沿って少なくとも４００％の伸びを生じることができるのが良い。一観点では、等方性材料は、弾性限度に達することなく運動器具３００の長手方向長さに沿って少なくとも７００％の伸びを生じることができるのが良い。かくして、等方性材料は、より効果的かつより快適な抵抗型運動装置を提供することができ、この等方性材料により、この器具を用いて広範な運動を行うことができる。
【００３５】
図９は、本発明の諸観点による運動器具５００の斜視図である。この器具５００は、ベース部分５１２および頂部分５１４を有するのが良い。ベース部分５１２および頂部分５１４は、本明細書において説明した材料特性を与える任意適当な天然ゴムまたは合成材料、例えば高度の弾性を提供し、裂けに強く、しかも一般に、大々的な伸張の繰り返し後であっても休止状態にあるときに所望の形状および可撓性を維持する熱可塑性エラストマー材料で形成できる。
【００３６】
図９はまた、ベース部分５１２および頂部分５１４をこれらの長さに沿って接合領域５１８のところで互いに連結することができ、その結果、複数のループ５１６がベース部分５１２と頂部分５１４との間に形成されるようになっていることを示している。ループ５１６は、ベース部分５１２と頂部分５１４を任意適当な仕方で、例えば、熱接着、化学結合、接着剤、高周波、ラテックス浸漬、または超音波溶接のうちの１つまたは２つ以上によって連結することによって形成できる。本発明の更に別の観点によれば、例えばブラケットを含む接合領域５１８を形成するための任意適当な工具または装置が用いられるのが良く、これにより、運動器具５００の他の部分の伸び特性と実質的に同じ均一の伸び率を有することができる。図９の例示の器具５００に示されているように、この器具５００の長さに沿って周期的に８つのループ５１６が形成されており、個々のループ５１６は各々、接合領域５１８によって互いに隔てられている。本発明の諸観点によれば、運動器具の長さに沿って６〜１２個のループが形成されるのが良く、各ループ５１６は、非拡張状態にあるときには長さが約６インチ（１５．２４ｃｍ）であるが、任意適当な数のループ５１６を用いることができる。一観点では、運動器具は、全部で９個のループまたは１１個のループを有するのが良いことが想定される。加うるに、図９に示されたループ５１６は、同一の全体寸法のものであるが、ループ５１６は、個別的にサイズが様々であって良く、したがって、サイズが様々なループ５１６の種々のパターンを組み合わせて運動器具５００を形成することができる。例えば、例えば４インチ（１０．１６ｃｍ）と６インチ（１５．２４ｃｍ）のループまたは１２インチ（３０．４８ｃｍ）の中央ループを備えた６インチ（１５．２４ｃｍ）ループで交互に位置しても良い。
【００３７】
図１０〜図１２を参照すると、運動器具５００の拡大部分の種々の図が器具５００に全体として適用可能な一般的な技術的思想を説明するために示されている。一観点では、運動器具５００の接合領域５１８は、ループ５１６の各々相互間に連続的に延びるのが良い。変形例として、図１０〜図１２に示されているように、２つのループ５１６相互間に形成された各接合領域５１８は、ベース部分５１２と頂部分５１４が互いに接合されていない１つまたは２つ以上の接合ギャップ５３０を有するのが良い。接合ギャップ５３０は、ベース部分５１２と頂部分５１４を実際に互いに結合しまたは接合した接合領域５１８の健全性に悪影響を及ぼさないで、運動器具５００のサイズを減少させるための切断ゾーンを識別するのを助けるために使用できる。
【００３８】
一観点では、各接合ギャップ５３０は、接合領域５１８を第１の接合領域セグメント５１８ａと第２の接合領域セグメント５１８ｂに分割するのが良い。接合ギャップ５３０は、第１の接合領域セグメント５１８ａと第２の接合領域セグメント５１８ｂとの間の長さが１インチ（２．５４ｃｍ）未満にわたるのが良い。一観点では、接合ギャップ５３０の長さは、０．２５インチ〜０．５インチ（０．６３５ｃｍ〜１．２７ｃｍ）である。接合ギャップ５３０は、第１の接合領域セグメント５１８ａと第２の接合領域セグメント５１８ｂが互いに向かって押されたときに微小ループ５３５を形成するのが良い。休止時または第１の接合領域セグメント５１８ａと第２の接合領域セグメント５１８ｂが互いに押し離されている間、微小ループ５３５は、平らにまたは実質的に平らに位置するのが良い。
【００３９】
図９のループ５１６は、開きループとして示されているが、図１０および図１２は、例えば運動器具５００が一般的な休止状態にあるときまたは特に運動器具５００が張力下において使用状態にあるときに平らに位置するのが良く、特定のループ５１６は、ループまたは取っ手としては用いられない。したがって、閉じ状態にあるとき、ループ５１６は、実際には、コンパクトな設計を提供しかつユーザのための多くのグリップオプションが得られるようにするための複数のループ５１６を提供する二重の特徴を発揮する。
【００４０】
図１０に示されているように、一般に、ベース部分５１２は、第１の端部５２０および第２の端部５２２を備えた弾性材料の長手方向長さから形成されるのが良く、頂部分５１４もまた、第１の端部５２４および第２の端部５２６を備えた材料の第２の長手方向長さから形成されるのが良い。例えば、器具５００を製作する方法は、頂部分５１４の材料をベース部分５１２の材料上に直線的に置くステップを含むのが良い。この材料は、例えばシート材料またはスプールから長手方向に送られる管材料であるのが良い。ベース部分５１２および頂部分５１４のために用いられる材料は、同種の材料であるのが良いが、各部分５１２，５１４は、材料特性が互いに異なる材料を用いることができる。結合プロセス、例えばヒートシールまたは接着剤の塗布を実施してベース部分５１２と頂部分５１４を所定の間隔で連結するのが良く、そして等間隔でまたは変化させた長さの間隔で配置されるのが良い運動器具５００の接合領域５１８を定める。
【００４１】
図１０および図１１の場合のように隆起したように見える場合のある接合領域５１８は、機械加工工具の形態に従って任意所望の外観を有するよう形成されるのが良い。一観点では、隆起部または他の所望の外観は、第１の接合領域セグメント５１８ａおよび第２の接合領域セグメント５１８ｂだけ、接合領域５１８の接合ギャップ５３０だけ、あるいは接合ギャップ５３０と第１および第２の接合領域セグメント５１８ａ，５１８ｂの両方上に見えるのが良い。隆起部は、結合弾性層器具を接合領域の１つのところで切断しまたは分離し、運動器具のカスタマイズ化または多数の運動器具の組立体からの１つの運動器具の分離を可能にするための視覚的手引きとなるのに役立ち得る。
【００４２】
本発明の他の観点によれば、隆起したクリンプ工具ではなく、任意適当な滑らかな、模様付きの、かつ／あるいはエンボス加工された表面外観を提供するクリンプ工具が用いられても良い。ベース部分５１２および頂部分５１４の材料は、滑らかな、模様付きの、かつ／あるいはエンボス加工された表面外観を有するよう構成されるのが良い。
【００４３】
本発明の更に別の観点によれば、一連の互いに連結状態の運動器具５００の大型スプール、ロールまたは折り畳みスタックが提供されるのが良く、そこで、医師は、一連の互いに連結状態の運動器具５００の端部を手に取り、ループ５１６または接合ギャップ５３０のうちの少なくとも１つを切断して所望の長さおよび／または数のループ５１６を備えた運動器具５００を形成することによって、個人用運動器具５００を組立体から個別的に取り出して形成することができる。かくして、医師は、各運動器具５００の個別的な長さを制御して特定のユーザの要望に合うようにすることができる一方で、保管のためのコンパクトな配置を維持することができる。変形例として、連結状態の運動器具１０のスプール長さを特定の長さのところで接合領域５１８に沿って印を付けてスプール付き運動器具の大きな集まりの中からの個人用の運動器具５００の容易かつ効率的な取り出しを可能にしても良い。
【００４４】
運動器具５００に設けられている連続して位置するループ５１６は、運動器具５００を例えば物体に取り付ける際に器具５００の迅速な位置決めを可能にする。物体の周りに運動器具５００を結束する必要なく、運動器具５００の一端部を物体の適当な取り付け部分に迅速に巻き付けて好ましくは運動器具５００の他端部の近くでループ５１６のうちの１つに通すのが良い。次に、運動器具５００の第１の端部を引き続けることにより、運動器具５００の一部分を静止状態の物体の取り付け部分周りに巻いて閉じ状態に締めるだけで良い。運動器具５００を迅速に取り外すためには、ユーザは、運動器具５００の作動側端部を単に外して運動器具５００を元々通したループ５１６を引くだけで良い。通したループ５１６は、最終的に作動側端部を離脱させて作動側端部を外すことができ、それにより運動器具５００を物体から自由に取り外すことができる。
【００４５】
ユーザは、一般に、運動器具５００のベース部分５１２および頂部分５１４を構成するために用いられる材料の抵抗性を利用することができる。このように、ベース部分５１２および頂部分５１４は、ある特定の厚さを有するとともに／あるいは運動器具を用いて運動しているユーザに特定の抵抗範囲を与えるよう寸法決めされた弾性材料で構成されるのが良い。このように、累進的な抵抗レベルを有する一連の運動器具を指示するための識別システムが用いられるのが良い。例えば、番号、色、文字、記号、パターン、または任意他の適当なマーキング系統が累進的な抵抗レベルを有する運動器具系統を指示するために用いられるのが良い。
【００４６】
本発明の他の観点によれば、運動器具５００のベース部分５１２および頂部分５１４を構成するために用いられる弾性材料は、任意の方向に同じように伸張することができる等方性材料であるのが良い。この材料の等方性により、この材料は、表面の形状の容易になじむことができ、例えば種々の物体への取り付けの際に良好なグリップを提供すると同時にユーザの解剖学的構造の輪郭にあった形状を取ることができる。一観点では、等方性材料は、弾性限度に達することなく運動器具５００の長手方向長さに沿って少なくとも４００％の伸びを生じることができるのが良い。一観点では、等方性材料は、弾性限度に達することなく運動器具５００の長手方向長さに沿って少なくとも７００％の伸びを生じることができるのが良い。かくして、等方性材料は、より効果的かつより快適な抵抗型運動装置を提供することができ、この等方性材料により、この器具を用いて広範な運動を行うことができる。
【００４７】
一観点では、本発明の運動器具に用いられる材料の弾性により、運動器具の負荷が加えられる部分の均一な伸張および回復が可能になり、材料は、従来型運動器具を用いた場合に経験することが多い底打ちまたは急停止なしにユーザに一貫した累進的変化を提供するようループを横切って加えられた負荷のもとで同じように伸張する。例えば、弾性ウェビングと組み合わせてファブリックコンポーネントを有する従来型運動器具は、ファブリック材料の非弾性に起因して特定のエンドポイント限度を生じ、それによりユーザにとって不快な場合のある急停止または底打ち間隔を生じさせるとともにこの器具を用いて実施できる運動範囲を制限する。回復中、本発明の弾性材料の性質により、接合領域およびループを横切って一貫した伸張が得られ、それにより運動器具が休止状態に向かって滑らかにかつ一貫して回復して戻ることができる。さらに、ファブリックコンポーネントを利用した運動器具は、ファブリック材料の増大した摩耗を受け、それにより、意図した抵抗レベルおよび伸張の一貫性が運動器具に関して経時的に変化する場合がある。加うるに、ファブリックを利用した器具は、非常に滑りやすい場合が多く、それにより、本明細書において開示した方法による物体への器具の取り付けを、広範な運動を実施する上での有効性に関して、低くする。
【００４８】
運動器具１０，３００を静止物体、例えばドアの取っ手に取り付けることができるが、運動器具１０，３００は、ユーザの胴体の周りに、例えば脚および腕の種々の部分周りに上述した仕方で巻き締めすることができる。このように、ユーザは、運動器具１０，３００を多種多様な仕方で迅速かつ効率的に自由に用いることができ、それにより広範な抵抗型の運動を行うことができる。加うるに、運動器具１０の一連の連続して位置する弾性ループ部分２０ａ，２０ｂ，２０ｃ，２０ｄまたは運動器具３００の一連のループ３４０を提供することによって、運動器具１０，３００を把持し、多種多様な運動器具１０，３００の長さが様々なユーザのための多くの互いに異なる解剖学的寸法に対応するための必要性をなくすための多数の位置が提供される。加うるに、例えば伝統的なシングルループバンドと比較して、運動器具に設けられる運動器具１０の連続して位置する弾性ループ部分２０ａ，２０ｂ，２０ｃ，２０ｄまたは運動器具３００の一連のループ３４０の曲率半径が小さいことにより、ループが任意の運動範囲の際に用いられる場合に全体としてしっかりとしてグリップが提供される。
【００４９】
運動器具１０，３００の他の利点としては、運動器具１０，３００のループの使用が例えばエンドレス開放バンドと比較してなじみの薄いユーザにとってより直観的であるということが挙げられる。さらに、ユーザは、ループをより容易に利用して器具に結び目、すなわちユーザの体に対する幅の狭いバンド材料の加えられた圧力に起因して実質的に食い込み圧力を加える場合のある結び目を作る必要なく、運動器具１０，３００を適当に把持することができる。ユーザは、ループの開放側部を利用して運動器具１０，３００を手、足、手首、足首、またはユーザの体の任意他の適当な部分により自然にかつ人間工学的に取り付けることができるとともに運動器具１０，３００を取り扱い説明書に従って快適にかつ効果的に用いることができる。運動器具１０，３００の使用により実現される使用のしやすさやおよび効率により、ユーザは、一連の運動またはルーチンにより迅速に進むことができ、その結果、ユーザの聞き入れ度を増大させることができるとともに持続心拍数を高くすることができる。
【００５０】
本明細書は、例示目的に過ぎず、本発明の保護範囲を何らかの仕方で狭くするものと解されてはならない。かくして、当業者であれば理解されるように、本発明の十分かつ公正な範囲から逸脱することなく、本明細書に開示した実施形態の種々の改造例が行われるはずである。他の観点、他の特徴および他の利点は、添付の図面および特許請求の範囲の記載を検討すると明らかであろう。
【図１】
2018512941.tif 000003
【図２】
2018512941.tif 000004
【図３】
2018512941.tif 000005
【図４】
2018512941.tif 000006
【図５】
2018512941.tif 000007
【図６】
2018512941.tif 000008
【図７】
2018512941.tif 000009
【図８】
2018512941.tif 000010
【図９】
2018512941.tif 000011
【図１０】
2018512941.tif 000012
【図１１】
2018512941.tif 000013
【図１２】
2018512941.tif 000014
【国際調査報告】
2018512941.tif 000015